(57)【要約】【課題】冷凍装置の室外ユニットにおいて、シール材を用いることなく、製作が容易で、かつ、天板と側板との間からの雨水等の侵入を防ぐ効果の高い水侵入防止構造を提供する。【解決手段】室外ユニット１は、略箱状のケーシング本体２１と、天板２２とを備えている。ケーシング本体２１は、底板２３と底板２３の外周縁から上方に延びる板２４〜２６とを有しており、その上面が開口している。天板２２は、この開口を覆う天板本体部２２ａと、天板本体部２２ａの外周縁から下方に延びて板２４〜２６と重なる天板縁部２２ｂと有している。そして、天板縁部２２ｂには、天板縁部２２ｂの下端から上方に折り返して天板縁部２２ｂと板２４〜２６との間を延びる天板折り返し部２２ｃが設けられている。【選択図】図４
2009097726.tif 000002
【特許請求の範囲】
【請求項１】
底板（２３）と底板の外周縁から上方に延びる側板（２４〜２６）とを有しており、上面が開口した略箱状のケーシング本体（２１）と、
前記開口を覆う天板本体部（２２ａ）と、前記天板本体部の外周縁から下方に延びて前記側板と重なる天板縁部（２２ｂ）と有する天板（２２）とを備え、
前記天板縁部には、前記天板縁部の下端から上方に折り返して前記天板縁部と前記側板との間を延びる天板折り返し部（２２ｃ）が設けられている、
冷凍装置の室外ユニット（１）。
【請求項２】
前記天板折り返し部（２２ｃ）の高さ寸法（ｈ１）は、前記天板縁部（２２ｂ）の高さ寸法（Ｈ１）の０．５倍以上である、請求項１に記載の冷凍装置の室外ユニット（１）。
【請求項３】
前記天板折り返し部（２２ｃ）と前記側板（２４〜２６）とが接する部分の高さ寸法（ｆ１）は、５ｍｍ以上である、請求項１又は２に記載の冷凍装置の室外ユニット（１）。
【請求項４】
前記天板折り返し部（２２ｃ）は、前記天板（２２）が前記ケーシング本体（２１）に装着される前において、前記天板縁部（２２ｂ）に対して所定の角度（θ１）をなしている、請求項１〜３のいずれかに記載の冷凍装置の室外ユニット（１）。
【請求項５】
底板（２３）と底板の外周縁から上方に延びる側板（２４〜２６）とを有しており、上面が開口した略箱状のケーシング本体（２１）と、
前記開口を覆う天板本体部（２２ａ）と、前記天板本体部の外周縁から下方に延びて前記側板と重なる天板縁部（２２ｂ）と有する天板（２２）とを備え、
前記側板のうち前記天板縁部と重なる部分である側板縁部（２４ｂ〜２６ｂ）には、前記側板縁部の上端から下方に折り返して前記天板と前記側板縁部との間を延びる側板折り返し部（２４ｃ〜２６ｃ）が設けられている、
冷凍装置の室外ユニット（１）。
【請求項６】
前記側板折り返し部（２４ｃ〜２６ｃ）の高さ寸法（ｈ２）は、前記側板縁部（２４ｂ〜２６ｂ）の高さ寸法（Ｈ２）の０．５倍以上である、請求項５に記載の冷凍装置の室外ユニット（１）。
【請求項７】
前記側板折り返し部（２４ｃ〜２６ｃ）と前記天板（２２）とが接する部分の高さ寸法（ｆ２）は、５ｍｍ以上である、請求項５又は６に記載の冷凍装置の室外ユニット（１）。
【請求項８】
前記側板折り返し部（２４ｃ〜２６ｃ）は、前記天板（２２）が前記ケーシング本体（２１）に装着される前において、前記側板縁部（２４ｂ〜２６ｂ）に対して所定の角度（θ２）をなしている、請求項５〜７のいずれかに記載の冷凍装置の室外ユニット（１）。
【発明の詳細な説明】
【技術分野】
【０００１】
本発明は、冷凍装置の室外ユニット、特に、天板と側板との間から室外ユニット内に雨水等が侵入することを防ぐための水侵入防止構造に関する。
【背景技術】
【０００２】
従来より、空気調和装置やヒートポンプ式給湯機等の冷凍装置において、熱交換器、送風ファン、電装品等がケーシング内に収容された構造を有する室外ユニットを備えたものがある。このような冷凍装置の室外ユニットのケーシングは、主として、略箱状のケーシング本体と、天板とを有している。ケーシング本体は、底板と、底板の外周縁から上方に延びる前板や側板等（以下、側板とする）とを有しており、その上面が開口している。天板は、この開口を覆う天板本体部と、天板本体部の外周縁から下方に延びて側板と重なる天板縁部と有している。
【０００３】
このような構造を有する冷凍装置の室外ユニットにおいては、天板と側板との間からケーシング内に雨水等が侵入して電装品に雨水等が侵入することを防ぐために、例えば、天板にシール材を貼り付けて側板に装着する等のように、天板と側板との隙間をシール材で塞ぐ水侵入防止構造が採用されることがある。
【０００４】
また、特許文献１には、シール材を用いることなく天板と側板との隙間を塞ぐ水侵入防止構造として、天板の天板縁部及び／又は側板にリブを設けた構造が開示されている。
【特許文献１】特開２０００−１６１７１２号公報
【発明の開示】
【発明が解決しようとする課題】
【０００５】
しかし、上述の天板と側板との隙間をシール材で塞ぐ水侵入防止構造においては、シール材が剥がれやすいという問題があり、また、シール材の貼り付け工数やその費用がかかるという問題がある。
【０００６】
また、上述の天板の天板縁部及び／又は側板にリブを設けた水侵入防止構造においては、天板の天板縁部及び／又は側板にリブを設けること自体、製作上の困難性が高いという問題があり、仮に、天板の天板縁部及び／又は側板にリブを設けることができたとしても、リブとリブに対向する側の部材との接触のみによって室外ユニット内への雨水等の侵入を防止しようとするものであるため、天板と側板との隙間をなくすことができない部分が生じるおそれがあり、その結果、天板と側板との間からの雨水等の侵入を防止する効果が十分に得られないという問題がある。
【０００７】
本発明の課題は、冷凍装置の室外ユニットにおいて、シール材を用いることなく、製作が容易で、かつ、天板と側板との間からの雨水等の侵入を防ぐ効果の高い水侵入防止構造を提供することにある。
【課題を解決するための手段】
【０００８】
第１の発明にかかる冷凍装置の室外ユニットは、略箱状のケーシング本体と、天板とを備えている。ケーシング本体は、底板と底板の外周縁から上方に延びる側板とを有しており、その上面が開口している。天板は、この開口を覆う天板本体部と、天板本体部の外周縁から下方に延びて側板と重なる天板縁部と有している。そして、天板縁部には、天板縁部の下端から上方に折り返して天板縁部と側板との間を延びる天板折り返し部が設けられている。ここで、「重なる」とは、ケーシングを外側から見た際に、天板縁部と側板とが重なって配置されることをいう。
【０００９】
この冷凍装置の室外ユニットにおける水侵入防止構造は、天板縁部にその下端から上方に折り返して天板縁部と側板との間を延びる天板折り返し部を設けた構造であるため、従来の天板の天板縁部及び／又は側板にリブを設けた水侵入防止構造に比べて、製作が容易である。
【００１０】
しかも、この冷凍装置の室外ユニットにおける水侵入防止構造では、天板折り返し部と側板とが接触することになり、天板と側板との接触が面接触に近いものとなっている。一方、従来の天板の天板縁部及び／又は側板にリブを設けた水侵入防止構造では、リブとリブに対向する側の部材との接触のみによるものであることから、天板と側板との接触が点接触や線接触に近いものとなっている。このため、この冷凍装置の室外ユニットにおける水侵入防止構造では、従来の水侵入防止構造に比べて、天板と側板との隙間をなくすことができない部分が生じにくくなり、その結果、シール材を用いることなく、天板と側板との間からの雨水等の侵入を防止する効果を高めることができ、したがって、天板と側板との間からケーシング内に雨水等が侵入して電装品に雨水等が侵入することを防ぐことができる。
【００１１】
また、従来の天板の天板縁部及び／又は側板にリブを形成する水侵入防止構造では、天板をケーシング本体に装着する際に、リブに対向する側の部材の先端がリブに引っ掛かりやすく、天板をケーシング本体に装着する作業の作業性がやや損なわれることになる。しかし、この冷凍装置の室外ユニットにおける水侵入防止構造では、天板縁部の下端から天板折り返し部を上方に折り返した構造であるため、天板をスムーズにケーシング本体に装着することができ、天板をケーシング本体に装着する作業の作業性が損なわれにくくなっている。
【００１２】
第２の発明にかかる冷凍装置の室外ユニットは、第１の発明にかかる冷凍装置の室外ユニットにおいて、天板折り返し部の高さ寸法は、天板縁部の高さ寸法の０．５倍以上である。
【００１３】
この冷凍装置の室外ユニットでは、天板折り返し部の高さ寸法が天板縁部の高さ寸法の０．５倍以上となっており、天板折り返し部と側板とが重なる部分が十分に確保されている。このため、この冷凍装置の室外ユニットにおける水侵入防止構造では、天板と側板との面接触を確実に得ることができる。
【００１４】
第３の発明にかかる冷凍装置の室外ユニットは、第１又は第２の発明にかかる冷凍装置の室外ユニットにおいて、天板折り返し部と側板とが接する部分の高さ寸法は、５ｍｍ以上である。
【００１５】
この冷凍装置の室外ユニットでは、天板折り返し部と側板とが接する部分の高さ寸法が５ｍｍ以上となっており、天板折り返し部と側板とが重なる部分が十分に確保されている。このため、この冷凍装置の室外ユニットにおける水侵入防止構造では、天板と側板との面接触を確実に得ることができる。
【００１６】
第４の発明にかかる冷凍装置の室外ユニットは、第１〜第３の発明のいずれかにかかる冷凍装置の室外ユニットにおいて、天板折り返し部は、天板がケーシング本体に装着される前において、天板縁部に対して所定の角度をなしている。
【００１７】
この冷凍装置の室外ユニットでは、天板がケーシング本体に装着される前において、天板折り返し部が天板縁部に対して所定の角度をなしているため、天板をケーシング本体に装着する際に、天板折り返し部と天板縁部とのなす角度が所定の角度よりも小さくなるように天板折り返し部が変形することになる。このため、この冷凍装置の室外ユニットにおける水侵入防止構造では、天板がケーシング本体に装着された後において、天板折り返し部と天板縁部とのなす角度を所定の角度に戻そうとする力（すなわち、天板折り返し部を側板側へ押圧しようとする力）が天板折り返し部に作用することになり、天板と側板との面接触を確実に得ることができる。
【００１８】
第５の発明にかかる冷凍装置の室外ユニットは、略箱状のケーシング本体と、天板とを備えている。ケーシング本体は、底板と底板の外周縁から上方に延びる側板とを有しており、その上面が開口している。天板は、この開口を覆う天板本体部と、天板本体部の外周縁から下方に延びて側板と重なる天板縁部と有している。そして、側板のうち天板縁部と重なる部分である側板縁部には、側板縁部の上端から下方に折り返して天板と側板縁部との間を延びる側板折り返し部が設けられている。ここで、「重なる」とは、ケーシングを外側から見た際に、天板縁部と側板とが重なって配置されることをいう。
【００１９】
この冷凍装置の室外ユニットにおける水侵入防止構造は、側板縁部にその上端から下方に折り返して天板と側板縁部との間を延びる側板折り返し部を設けた構造であるため、従来の天板の天板縁部及び／又は側板にリブを設けた水侵入防止構造に比べて、製作が容易である。
【００２０】
しかも、この冷凍装置の室外ユニットにおける水侵入防止構造では、側板折り返し部と天板とが接触することになり、側板と天板との接触が面接触に近いものとなっている。一方、従来の天板の天板縁部及び／又は側板にリブを設けた水侵入防止構造では、リブとリブに対向する側の部材との接触のみによるものであることから、側板と天板との接触が点接触や線接触に近いものとなっている。このため、この冷凍装置の室外ユニットにおける水侵入防止構造では、従来の水侵入防止構造に比べて、天板と側板との隙間をなくすことができない部分が生じにくくなり、その結果、シール材を用いることなく、天板と側板との間からの雨水等の侵入を防止する効果を高めることができ、したがって、天板と側板との間からケーシング内に雨水等が侵入して電装品に雨水等が侵入することを防ぐことができる。
【００２１】
また、従来の天板の天板縁部及び／又は側板にリブを形成する水侵入防止構造では、天板をケーシング本体に装着する際に、リブに対向する側の部材の先端がリブに引っ掛かりやすく、天板をケーシング本体に装着する作業の作業性がやや損なわれることになる。しかし、この冷凍装置の室外ユニットにおける水侵入防止構造では、側板縁部の上端から側板折り返し部を下方に折り返した構造であるため、天板をスムーズにケーシング本体に装着することができ、天板をケーシング本体に装着する作業の作業性が損なわれにくくなっている。
【００２２】
第６の発明にかかる冷凍装置の室外ユニットは、第５の発明にかかる冷凍装置の室外ユニットにおいて、側板折り返し部の高さ寸法は、側板縁部の高さ寸法の０．５倍以上である。
【００２３】
この冷凍装置の室外ユニットでは、側板折り返し部の高さ寸法が側板縁部の高さ寸法の０．５倍以上となっており、天板折り返し部と側板とが重なる部分が十分に確保されている。このため、この冷凍装置の室外ユニットにおける水侵入防止構造では、天板と側板との面接触を確実に得ることができる。
【００２４】
第７の発明にかかる冷凍装置の室外ユニットは、第５又は第６の発明にかかる冷凍装置の室外ユニットにおいて、側板折り返し部と天板とが接する部分の高さ寸法は、５ｍｍ以上である。
【００２５】
この冷凍装置の室外ユニットでは、側板折り返し部と天板とが接する部分の高さ寸法が５ｍｍ以上となっており、側板折り返し部と天板とが重なる部分が十分に確保されている。このため、この冷凍装置の室外ユニットにおける水侵入防止構造では、天板と側板との面接触を確実に得ることができる。
【００２６】
第８の発明にかかる冷凍装置の室外ユニットは、第５〜第７の発明のいずれかにかかる冷凍装置の室外ユニットにおいて、側板折り返し部は、天板がケーシング本体に装着される前において、側板縁部に対して所定の角度をなしている。
【００２７】
この冷凍装置の室外ユニットでは、天板がケーシング本体に装着される前において、側板折り返し部が側板縁部に対して所定の角度をなしているため、天板をケーシング本体に装着する際に、側板折り返し部と側板縁部とのなす角度が所定の角度よりも小さくなるように側板折り返し部が変形することになる。このため、この冷凍装置の室外ユニットにおける水侵入防止構造では、天板がケーシング本体に装着された後において、側板折り返し部と側板縁部とのなす角度を所定の角度に戻そうとする力（すなわち、側板折り返し部を天板側へ押圧しようとする力）が側板折り返し部に作用することになり、天板と側板との面接触を確実に得ることができる。
【発明の効果】
【００２８】
以上の説明に述べたように、本発明によれば、以下の効果が得られる。
【００２９】
第１及び第５の発明では、従来の天板の天板縁部及び／又は側板にリブを設けた水侵入防止構造に比べて、製作が容易であり、しかも、シール材を用いることなく、天板と側板との間からの雨水等の侵入を防止する効果を高めることができる。
【００３０】
第２及び第３の発明では、天板折り返し部と側板とが重なる部分が十分に確保され、天板と側板との面接触を確実に得ることができる。
【００３１】
第４の発明では、天板がケーシング本体に装着された後において、天板折り返し部と天板縁部とのなす角度を所定の角度に戻そうとする力が天板折り返し部に作用することになり、天板と側板との面接触を確実に得ることができる。
【００３２】
第６及び第７の発明では、側板折り返し部と天板とが重なる部分が十分に確保され、天板と側板との面接触を確実に得ることができる。
【００３３】
第８の発明では、天板がケーシング本体に装着された後において、側板折り返し部と側板縁部とのなす角度を所定の角度に戻そうとする力が側板折り返し部に作用することになり、天板と側板との面接触を確実に得ることができる。
【発明を実施するための最良の形態】
【００３４】
以下、図面に基づいて、本発明にかかる冷凍装置の室外ユニットの実施形態について説明する。
【００３５】
（１）室外ユニットの概略構成
図１は、本発明の一実施形態にかかる冷凍装置の室外ユニット１を示す斜視図（機械室Ｓ２内を点線で図示）であり、図２は、室外ユニット１の平面図（送風機室Ｓ１及び機械室Ｓ２内を点線で図示）であり、図３は、図２のＩ−Ｉ断面図である。尚、以下の説明において、「上」、「下」、「左」、「右」、「前」、「後」、「正面」、「背面」は、特にことわりのない限り、図１に示される室外ユニット１を正面（前面）側から見た場合の方向を意味するものとする。
【００３６】
室外ユニット１は、本実施形態において、冷媒連絡管（図示せず）を介して室内ユニット（図示せず）に接続されることによって冷凍装置の一種であるセパレート型の空気調和装置を構成するものである。室外ユニット１は、主として、ケーシング２と、冷媒回路構成部品（後述）と、送風ファン３、４と、電装品としての電装品ユニット５及び端子台６とを有している。
【００３７】
ケーシング２は、主として、略箱状のケーシング本体２１と、天板２２とを有しており、その内部に冷媒回路構成部品（後述）、送風ファン３、４、電装品ユニット５、及び、端子台６等を収容する空間Ｓが形成されている。
【００３８】
ケーシング本体２１は、主として、底板２３と、底板２３の外周縁から上方に延びる側板としての左前板２４、右前板２５及び右側板２６とを有しており、その上面が開口している。
【００３９】
底板２３は、ケーシング本体２１の底面部分を構成する横長の略長方形状の金属製の板状部材である。底板２３の外周縁は、上方に折り曲げられている。底板２３の外面には、現地据付面に固定される２つの固定脚２７が設けられている。固定脚２７は、ケーシング２の正面視において略Ｕ字形状を有し、ケーシング２の前側から後側に向かって延びる金属製の板状部材である。
【００４０】
左前板２４は、ケーシング本体２１の左前面部分及び左側面の前側部分を構成する金属製の板状部材であり、その下部が底板２３にネジ等により固定されている。左前板２４には、送風ファン３、４によってケーシング２の背面側及び左側面側から内部に取り込まれた空気を外部に吹き出すための吹出口２４ｄ、２４ｅが設けられている。ここで、吹出口２４ｄ、２４ｅは、上下に並んで２つ設けられている。また、吹出口２４ｄ、２４ｅには、それぞれ、ファングリル２８ａ、２８ｂが設けられている。
【００４１】
右前板２５は、ケーシング本体２１の右前面部分及び右側面の前側部分を構成する金属製の板状部材であり、その下部が底板２３にネジ等により固定されている。また、右前板２５は、その左縁部が左前板２４の右縁部にネジ等により固定されている。
【００４２】
右側板２６は、ケーシング本体２１の右側面の後側部分及び背面の右側部分を構成する金属製の板状部材であり、その下部が底板２３にネジ等により固定されている。
【００４３】
天板２２は、室外ユニット１の天面部分を構成する横長の略長方形状の金属製の板状部材であり、ケーシング本体２１の上面の開口を覆う天板本体部２２ａと、天板本体部２２ａの外周縁から下方に延びて側板としての板２４〜２６と重なる天板縁部２２ｂと有している。また、板２４〜２６のうち天板縁部２２ｂと重なる部分を、それぞれ、側板縁部２４ｂ〜２６ｂとする（但し、側板縁部２４ｂは図示せず）。ここで、「重なる」とは、ケーシング２を外側（すなわち、正面側、左側面側、右側面側、背面側）から見た際に、天板縁部２２ｂと側板としての板２４〜２６（すなわち、側板縁部２４ｂ〜２６ｂ）とが重なって配置されることをいう。
【００４４】
このようにして構成されたケーシング２内には、仕切板２９が設けられている。仕切板２９は、底板２３上に配置される鉛直に延びる金属製の板状部材であり、ケーシング２内の空間Ｓを左右に分割している。ここで、仕切板２９によって分割された空間の一方（ここでは、仕切板２９の左側の空間）を送風機室Ｓ１とし、仕切板２９によって分割された空間の他方（ここでは、仕切板２９の右側の空間）を機械室Ｓ２とする。そして、このケーシング２では、左前板２４が送風機室Ｓ１に面するように配置されており、右前板２５が機械室Ｓ２に面するように配置されており、右前板２５を取り外すことによって、機械室Ｓ２の内部が見えるようになっている（図１参照）。尚、右前板２５は、左前板２４と一体の部材であってもよく、この場合には、これを取り外すことによって、送風機室Ｓ１及び機械室Ｓ２の内部が見えることになる。また、ここでは、室外ユニット１を正面から見て左側に送風機室Ｓ１が配置され、右側に機械室Ｓ２が配置されているが、左右逆の配置であってもよい。
【００４５】
また、ケーシング２の送風機室Ｓ１内には、冷媒回路構成部品の１つとしての熱交換器７と送風ファン３、４とが配置されている。ここで、熱交換器７は、平面視Ｌ字形状を有しており、ケーシング２の左側面及び背面に沿うように配置されている。熱交換器７は、例えば、伝熱管と多数のフィンとにより構成されたフィン・アンド・チューブ型熱交換器からなる。また、送風ファン３、４は、熱交換器７の前側において、吹出口２４ｄ、２４ｅにそれぞれ対向し、かつ、上下に並んで配置されており、ケーシング２の左側面及び背面に形成された吸入口（図示せず）を通じて送風機室Ｓ１内に空気を取り込み、熱交換器７を通過させた後に、ケーシング２の前面に形成された吹出口２４ｄ、２４ｅから吹き出すように機能する送風機である。送風ファン３、４は、例えば、ファンモータ３ａ、４ａによってそれぞれ駆動されるプロペラファンからなる。尚、この室外ユニット１では、２台の送風ファン３、４を有しているが、これに限定されるものではなく、例えば、１台の送風ファンを有する場合のように、２台以外の台数の送風ファンを有していてもよい。
【００４６】
また、ケーシング２の機械室Ｓ２内には、圧縮機８等の機器、弁及び冷媒管等の各種冷媒回路構成部品（図１〜図３には、熱交換器７及び圧縮機８以外の冷媒回路構成部品を図示せず）と、電装品ユニット５及び端子台６とが配置されている。ここで、圧縮機８は、圧縮機モータ（図示せず）が円筒形状のハウジング内に内蔵された密閉式圧縮機であり、熱交換器７を除く冷媒回路構成部品（図示せず）や電装品ユニット５及び端子台６を配置する空間を上方に空けた状態で、機械室Ｓ２の平面視略中央に配置されている。電装品ユニット５は、主として、圧縮機モータ（図示せず）やファンモータ３ａ、４ａのような室外ユニット１を構成する各部の動作の制御等を行うための制御基板等を有するものであり、圧縮機８の上側において、仕切板２９に対向するように配置されている。端子台６は、室外ユニット１の外部から引き込まれる電源線等を接続するための端子等を有するものであり、電装品ユニット５の下側において、右前板２５に対向するように配置されている。
【００４７】
（２）第１実施形態にかかる水侵入防止構造
上述のような室外ユニット１では、図２〜図５に示されるように、天板２２と側板としての板２４〜２６との間からケーシング２内に雨水等が侵入して電装品としての電装品ユニット５や端子台６に雨水等が侵入するのを防ぐための水侵入防止構造９が設けられている。ここで、図４は、図３のＩＩ部分の拡大図であって、第１実施形態にかかる水侵入防止構造９を示す図であり、図５は、第１実施形態にかかる水侵入防止構造９を示す図であって、天板２２をケーシング本体２１に装着する様子を示す図である。
【００４８】
本実施形態にかかる水侵入防止構造９は、主として、天板縁部２２ｂの下端から上方に折り返して天板縁部２２ｂと側板としての板２５、２６との間を延びる天板折り返し部２２ｃから構成されている（図４、５には図示しないが、天板縁部２２ｂと右側板２６とが重なる部分についても、天板折り返し部２２ｃが設けられている）。この天板折り返し部２２ｃは、天板縁部２２ｂの下端に折り返し曲げを施すことによって設けられたものである。ここで、水侵入防止構造９（より具体的には、天板折り返し部２２ｃ）は、天板２２（より具体的には、天板縁部２２ｂ）が板２５、２６（より具体的には、側板縁部２５ｂ、２６ｂ）に重なる部分のみに設けられているが、これは、電装品ユニット５や端子台６に雨水等が侵入するのを防ぐという目的に対して必要な部分、すなわち、電装品ユニット５や端子台６の近傍部分に対して、少なくとも水侵入防止構造９を設けることを意図している。より具体的には、この室外ユニット１では、ケーシング２内の空間Ｓが仕切板２９によって、送風機室Ｓ１と機械室Ｓ２とによって分割された構造であり、これにより、天板２２、底板２３、仕切板２９、及び板２５、２６によって区画された機械室Ｓ２内に電装品ユニット５や端子台６が配置されていることから、天板縁部２２ｂが板２５、２６に重なる部分に水侵入防止構造９を設けることが望ましいことを意図している。したがって、本実施形態において、板２５、２６に重なる部分のみに水侵入防止構造９が設けられていることは、天板２２が左前板２４に重なる部分に天板折り返し部２２ｃを設けることを許容しないという意図ではなく、室外ユニット１のケーシング２内の構造に応じて、天板２２と板２４〜２６との間からケーシング２内に雨水等が侵入することによって電装品ユニット５や端子台６に雨水等が侵入するおそれがある部分に水侵入防止構造９を設けることを意図するものであるため、天板縁部２２ｂが板２５、２６に重なる部分だけでなく、天板縁部２２ｂが左側板２４（より具体的には、側板縁部２４ｂ）に重なる部分にも水侵入防止構造９（すなわち、天板折り返し部２２ｃ）を設けてもよい。また、板２５、２６においても、右前板２５の前面部分や右側板２６の背面部分に比べて電装品ユニット５や端子台６から離れた部分、例えば、板２５、２６のうちケーシング２の右側面を構成する部分やケーシング２の右前側の角部や右後側の角部等については、これらの部分と電装品ユニット５や端子台６との距離が十分に確保されている等のように、機械室Ｓ２内に雨水等が侵入したとしても、電装品ユニット５や端子台６には侵入しにくい構造が確保されている場合には、これらの部分に水侵入防止構造９を設けなくてもよい。
【００４９】
このような天板折り返し部２２ｃを有する水侵入防止構造９では、天板折り返し部２２ｃと側板としての板２５、２６とが接触することによって、天板２２と板２５、２６との隙間を塞ぎ、これによって、天板２２と板２５、２６との間からケーシング２内に雨水等が侵入することを防ぐことができる。そして、この水侵入防止構造９は、天板縁部２２ｂにその下端から上方に折り返して天板縁部２２ｂと板２５、２６との間を延びる天板折り返し部２２ｃを設けた構造であるため、従来の天板の天板縁部及び／又は側板にリブを設けた水侵入防止構造に比べて、製作が容易である。
【００５０】
しかも、この水侵入防止構造９では、天板折り返し部２２ｃと板２５、２６（より具体的には、側板縁部２５ｂ、２６ｂ）とが接触することになり、天板２２と板２５、２６との接触が面接触に近いものとなっている。一方、従来の天板の天板縁部及び／又は側板にリブを設けた水侵入防止構造では、リブとリブに対向する側の部材との接触のみによるものであることから、天板と側板との接触が点接触や線接触に近いものとなっている。このため、この水侵入防止構造９では、従来の水侵入防止構造に比べて、天板２２と板２５、２６との隙間をなくすことができない部分が生じにくくなり、その結果、シール材を用いることなく、天板２２と板２５、２６との間からの雨水等の侵入を防止する効果を高めることができ、したがって、天板２２と板２５、２６との間からケーシング２内に雨水等が侵入して電装品ユニット５や端子台６に雨水等が侵入することを防ぐことができる。
【００５１】
また、従来の天板の天板縁部及び／又は側板にリブを形成する水侵入防止構造では、天板をケーシング本体に装着する際に、リブに対向する側の部材の先端がリブに引っ掛かりやすく、天板をケーシング本体に装着する作業の作業性がやや損なわれることになる。しかし、この水侵入防止構造９では、天板縁部２２ｂの下端から天板折り返し部２２ｃを上方に折り返した構造であるため、図５に示されるように、天板２２を矢印Ｘの方向からスムーズにケーシング本体２１に装着することができ、天板２２をケーシング本体２１に装着する作業の作業性が損なわれにくくなっている。
【００５２】
また、天板縁部２２ｂの高さ寸法Ｈ１は、１０ｍｍから４０ｍｍに設定されるが、これに対して、天板折り返し部２２ｃの高さ寸法ｈ１は、天板縁部２２ｂの高さ寸法Ｈ１の０．５倍以上に設定されている。また、天板折り返し部２２ｃと板２５、２６とが接する部分の高さ寸法ｆ１が５ｍｍ以上に設定されている。ここでは、側板縁部２５ｂ、２６ｂの高さ寸法Ｈ２が天板折り返し部２２ｃの高さ寸法ｈ１以上に設定されるとともに、天板折り返し部２２ｃのほぼ全面が板２５、２６（より具体的には、側板縁部２５ｂ、２６ｂ）に接触するように天板折り返し部２２ｃ及び板２５、２６が配置されることによって、天板折り返し部２２ｃと板２５、２６とが接する部分の高さ寸法ｆ１が５ｍｍ以上に設定されている。尚、ここでは、天板折り返し部２２ｃの高さ寸法ｈ１と天板折り返し部２２ｃと板２５、２６とが接する部分の高さ寸法ｆ１とはほぼ同じになっている。
【００５３】
これにより、天板折り返し部２２ｃと板２５、２６とが重なる部分（すなわち、天板折り返し部２２ｃの板２５、２６側の面と側板縁部２５ｂ、２６ｂの天板折り返し部２２ｃ側の面とが接触する部分）が十分に確保され、天板２２と板２５、２６との面接触を確実に得ることができる。尚、天板折り返し部２２ｃの高さ寸法ｈ１を天板縁部２２ｂの高さ寸法Ｈ１の０．５倍以上に設定すること、及び、天板折り返し部２２ｃと板２５、２６とが接する部分の高さ寸法ｆ１を５ｍｍ以上に設定することのいずれか一つのみを満たすものであってもよいが、天板２２と板２５、２６との面接触を確保するという観点では、上述のように、いずれの設定を満たすことが好ましい。
【００５４】
また、天板折り返し部２２ｃは、天板２２がケーシング本体２１に装着される前において、天板縁部２２ｂに対して所定の角度θ１をなしている。すなわち、天板２２がケーシング本体２１に装着される前における天板折り返し部２２ｃの上端は、板２５、２６（より具体的には、側板縁部２５ｂ、２６ｂ）の天板折り返し部２２ｃに接する面よりも内側（すなわち、天板折り返し部２２ｃに接する面と反対側）に突出していることになる。
【００５５】
これにより、この室外ユニット１では、天板２２をケーシング本体２１に装着する際に、天板折り返し部２２ｃと天板縁部２２ｂとのなす角度が所定の角度θ１よりも小さくなるように天板折り返し部２２ｃが変形することになる。このため、この水侵入防止構造９では、天板２２がケーシング本体２１に装着された後において、天板折り返し部２２ｃと天板縁部２２ｂとのなす角度を所定の角度θ１に戻そうとする力（すなわち、天板折り返し部２２ｃを板２５、２６側へ押圧しようとする力）が天板折り返し部２２ｃに作用することになり、天板２２と板２５、２６との面接触を確実に得ることができる。
【００５６】
（３）第２実施形態にかかる水侵入防止構造
上述の第１実施形態では、天板２２の天板縁部２２ｂに天板折り返し部２２ｃを設けることによって水侵入防止構造９を構成しているが、図６、７に示されるように、側板としての板２４〜２６のうち天板縁部２２ｂと重なる部分である側板縁部２４ｂ〜２６ｂに側板折り返し部２４ｃ〜２６ｃ（但し、側板折り返し部２４ｃは図示せず）を設けることによって水侵入防止構造９を構成してもよい。ここで、図６は、図３のＩＩ部分の拡大図であって、第２実施形態にかかる水侵入防止構造９を示す図であり、図７は、第２実施形態にかかる水侵入防止構造９を示す図であって、天板２２をケーシング本体２１に装着する様子を示す図である。
【００５７】
本実施形態にかかる水侵入防止構造９は、主として、側板縁部２５ｂ、２６ｂの上端から下方に折り返して天板２２と側板縁部２５ｂ、２６ｂとの間を延びる側板折り返し部２５ｃ、２６ｃから構成されている（図６、７には図示しないが、天板縁部２２ｂと右側板２６とが重なる部分についても、側板折り返し部２６ｃが設けられている）。これらの側板折り返し部２５ｃ、２６ｃは、側板縁部２５ｂ、２６ｂの下端に折り返し曲げを施すことによって設けられたものである。ここで、水侵入防止構造９（より具体的には、側板折り返し部２５ｃ、２６ｃ）は、板２５、２６（より具体的には、側板縁部２５ｂ、２６ｂ）のみに設けられているが、これは、第１実施形態にかかる天板折り返し部２２ｃと同様、電装品ユニット５や端子台６に雨水等が侵入するのを防ぐという目的に対して必要な部分、すなわち、電装品ユニット５や端子台６の近傍部分に対して、少なくとも水侵入防止構造９を設けることを意図している。より具体的には、この室外ユニット１では、ケーシング２内の空間Ｓが仕切板２９によって、送風機室Ｓ１と機械室Ｓ２とによって分割された構造であり、これにより、天板２２、底板２３、仕切板２９、及び板２５、２６によって区画された機械室Ｓ２内に電装品ユニット５や端子台６が配置されていることから、板２５、２６に水侵入防止構造９を設けることが望ましいことを意図している。したがって、本実施形態において、板２５、２６のみに水侵入防止構造９が設けられていることは、左前板２４に側板折り返し部２４ｃを設けることを許容しないという意図ではなく、室外ユニット１のケーシング２内の構造に応じて、天板２２と板２４〜２６との間からケーシング２内に雨水等が侵入することによって電装品ユニット５や端子台６に雨水等が侵入するおそれがある部分に水侵入防止構造９を設けることを意図するものであるため、板２５、２６だけでなく、左側板２４（より具体的には、側板縁部２４ｂ）にも水侵入防止構造９（すなわち、側板折り返し部２４ｃ）を設けてもよい。また、板２５、２６においても、右前板２５の前面部分や右側板２６の背面部分に比べて電装品ユニット５や端子台６から離れた部分、例えば、板２５、２６のうちケーシング２の右側面を構成する部分やケーシング２の右前側の角部や右後側の角部等については、これらの部分と電装品ユニット５や端子台６との距離が十分に確保されている等のように、機械室Ｓ２内に雨水等が侵入したとしても、電装品ユニット５や端子台６には侵入しにくい構造が確保されている場合には、これらの部分に水侵入防止構造９を設けなくてもよい。
【００５８】
このような側板折り返し部２５ｃ、２６ｃを有する水侵入防止構造９では、側板折り返し部２５ｃ、２６ｃと天板２２（より具体的には、天板縁部２２ｂ）とが接触することによって、天板２２と板２５、２６との隙間を塞ぎ、これによって、天板２２と板２５、２６との間からケーシング２内に雨水等が侵入することを防ぐことができる。そして、この水侵入防止構造９は、側板縁部２５ｂ、２６ｂにその上端から下方に折り返して天板２２と側板縁部２５ｂ、２６ｂとの間を延びる側板折り返し部２５ｃ、２６ｃを設けた構造であるため、従来の天板の天板縁部及び／又は側板にリブを設けた水侵入防止構造に比べて、製作が容易である。
【００５９】
しかも、この水侵入防止構造９では、側板折り返し部２５ｃ、２６ｃと天板２２（より具体的には、天板縁部２２ｂ）とが接触することになり、板２５、２６と天板２２との接触が面接触に近いものとなっている。一方、従来の天板の天板縁部及び／又は側板にリブを設けた水侵入防止構造では、リブとリブに対向する側の部材との接触のみによるものであることから、側板と天板との接触が点接触や線接触に近いものとなっている。このため、この水侵入防止構造９では、従来の水侵入防止構造に比べて、天板２２と板２５、２６との隙間をなくすことができない部分が生じにくくなり、その結果、シール材を用いることなく、天板２２と板２５、２６との間からの雨水等の侵入を防止する効果を高めることができ、したがって、天板２２と板２５、２６との間からケーシング２内に雨水等が侵入して電装品ユニット５や端子台６に雨水等が侵入することを防ぐことができる。
【００６０】
また、従来の天板の天板縁部及び／又は側板にリブを形成する水侵入防止構造では、天板をケーシング本体に装着する際に、リブに対向する側の部材の先端がリブに引っ掛かりやすく、天板をケーシング本体に装着する作業の作業性がやや損なわれることになる。しかし、この水侵入防止構造９では、側板縁部２５ｂ、２６ｂの上端から側板折り返し部２５ｃ、２６ｃを下方に折り返した構造であるため、図７に示されるように、天板２２を矢印Ｘの方向からスムーズにケーシング本体２１に装着することができ、天板２２をケーシング本体２１に装着する作業の作業性が損なわれにくくなっている。
【００６１】
また、側板縁部２５ｂ、２６ｂの高さ寸法Ｈ２は、１０ｍｍから４０ｍｍに設定されるが、これに対して、側板折り返し部２５ｃ、２６ｃの高さ寸法ｈ２は、側板縁部２５ｂ、２６ｂの高さ寸法Ｈ２の０．５倍以上に設定されている。また、側板折り返し部２５ｃ、２６ｃと天板２２（より具体的には、天板縁部２２ｂ）とが接する部分の高さ寸法ｆ２が５ｍｍ以上に設定されている。ここでは、天板縁部２２ｂの高さ寸法Ｈ１が側板折り返し部２５ｃ、２６ｃの高さ寸法ｈ２以上に設定されるとともに、側板折り返し部２５ｃ、２６ｃのほぼ全面が天板２２（より具体的には、天板縁部２２ｂ）に接触するように側板折り返し部２５ｃ、２６ｃ及び天板２２が配置されることによって、側板折り返し部２５ｃ、２６ｃと天板２２とが接する部分の高さ寸法ｆ２が５ｍｍ以上に設定されている。尚、ここでは、側板折り返し部２５ｃ、２６ｃの高さ寸法ｈ２と側板折り返し部２５ｃ、２６ｃと天板２２とが接する部分の高さ寸法ｆ２とはほぼ同じになっている。
【００６２】
これにより、側板折り返し部２５ｃ、２６ｃと天板２２とが重なる部分（すなわち、側板折り返し部２５ｃ、２６ｃの天板２２側の面と天板縁部２２ｂの側板折り返し部２５ｃ、２６ｃ側の面とが接触する部分）が十分に確保され、天板２２と板２５、２６との面接触を確実に得ることができる。尚、側板折り返し部２５ｃ、２６ｃの高さ寸法ｈ２を側板縁部２５ｂ、２６ｂの高さ寸法Ｈ２の０．５倍以上に設定すること、及び、側板折り返し部２５ｃ、２６ｃと天板２２とが接する部分の高さ寸法ｆ２を５ｍｍ以上に設定することのいずれか一つのみを満たすものであってもよいが、天板２２と板２５、２６との面接触を確保するという観点では、上述のように、いずれの設定を満たすことが好ましい。
【００６３】
また、側板折り返し部２５ｃ、２６ｃは、天板２２がケーシング本体２１に装着される前において、側板縁部２５ｂ、２６ｂに対して所定の角度θ２をなしている。すなわち、天板２２がケーシング本体２１に装着される前における側板折り返し部２５ｃ、２６ｃの上端は、天板２２（より具体的には、天板縁部２２ｂ）の側板折り返し部２５ｃ、２６ｃに接する面よりも内側（すなわち、側板折り返し部２５ｃ、２６ｃに接する面と反対側）に突出していることになる。
【００６４】
これにより、この室外ユニット１では、天板２２をケーシング本体２１に装着する際に、側板折り返し部２５ｃ、２６ｃと側板縁部２５ｂ、２６ｂとのなす角度が所定の角度θ２よりも小さくなるように側板折り返し部２５ｃ、２６ｃが変形することになる。このため、この水侵入防止構造９では、天板２２がケーシング本体２１に装着された後において、側板折り返し部２５ｃ、２６ｃと側板縁部２５ｂ、２６ｂとのなす角度を所定の角度θ２に戻そうとする力（すなわち、側板折り返し部２５ｃ、２６ｃを天板２２側へ押圧しようとする力）が側板折り返し部２５ｃ、２６ｃに作用することになり、天板２２と板２５、２６との面接触を確実に得ることができる。
【００６５】
（４）第３実施形態にかかる水侵入防止構造
上述の第１、２実施形態では、天板２２の天板縁部２２ｂに天板折り返し部２２ｃを設けるか、又は、側板としての板２４〜２６のうち天板縁部２２ｂと重なる部分である側板縁部２４ｂ〜２６ｂに側板折り返し部２４ｃ〜２６ｃを設けることによって水侵入防止構造９を構成しているが、図８、９に示されるように、天板２２の天板縁部２２ｂに天板折り返し部２２ｃを設けるとともに、側板としての板２４〜２６のうち天板縁部２２ｂと重なる部分である側板縁部２４ｂ〜２６ｂに側板折り返し部２４ｃ〜２６ｃを設けることによって水侵入防止構造９を構成してもよい。ここで、図８は、図３のＩＩ部分の拡大図であって、第３実施形態にかかる水侵入防止構造９を示す図であり、図９は、第３実施形態にかかる水侵入防止構造９を示す図であって、天板２２をケーシング本体２１に装着する様子を示す図である。
【００６６】
本実施形態にかかる水侵入防止構造９は、主として、天板縁部２２ｂの下端から上方に折り返して天板縁部２２ｂと側板としての板２５、２６との間を延びる天板折り返し部２２ｃと、側板縁部２５ｂ、２６ｂの上端から下方に折り返して天板２２と側板縁部２５ｂ、２６ｂとの間を延びる側板折り返し部２５ｃ、２６ｃとから構成されている（図８、９には図示しないが、天板縁部２２ｂと右側板２６とが重なる部分についても、天板折り返し部２２ｃ及び側板折り返し部２６ｃが設けられている）。この天板折り返し部２２ｃは、天板縁部２２ｂの下端に折り返し曲げを施すことによって設けられたものである。また、これらの側板折り返し部２５ｃ、２６ｃは、側板縁部２５ｂ、２６ｂの下端に折り返し曲げを施すことによって設けられたものである。ここで、水侵入防止構造９（より具体的には、天板折り返し部２２ｃ及び側板折り返し部２５ｃ、２６ｃ）は、天板２２が板２５、２６に重なる部分及び板２５、２６のみに設けられているが、これは、第１、２実施形態にかかる折り返し部２２ｃ、２５ｃ、２６ｃと同様、電装品ユニット５や端子台６に雨水等が侵入するのを防ぐという目的に対して必要な部分、すなわち、電装品ユニット５や端子台６の近傍部分に対して、少なくとも水侵入防止構造９を設けることを意図している。より具体的には、この室外ユニット１では、ケーシング２内の空間Ｓが仕切板２９によって、送風機室Ｓ１と機械室Ｓ２とによって分割された構造であり、これにより、天板２２、底板２３、仕切板２９、及び板２５、２６によって区画された機械室Ｓ２内に電装品ユニット５や端子台６が配置されていることから、天板２２が板２５、２６に重なる部分及び板２５、２６に水侵入防止構造９を設けることが望ましいことを意図している。したがって、本実施形態において、天板２２が板２５、２６に重なる部分及び板２５、２６のみに水侵入防止構造９が設けられていることは、天板２２が左前板２４に重なる部分及び左前板２４に折り返し部２２ｃ、２４ｃを設けることを許容しないという意図ではなく、室外ユニット１のケーシング２内の構造に応じて、天板２２と板２４〜２６との間からケーシング２内に雨水等が侵入することによって電装品ユニット５や端子台６に雨水等が侵入するおそれがある部分に水侵入防止構造９を設けることを意図するものであるため、
天板２２の板２５、２６に重なる部分及び板２５、２６だけでなく、左側板２４にも水侵入防止構造９（すなわち、側板折り返し部２４ｃ）を設けてもよい。また、板２５、２６においても、右前板２５の前面部分や右側板２６の背面部分に比べて電装品ユニット５や端子台６から離れた部分、例えば、板２５、２６のうちケーシング２の右側面を構成する部分やケーシング２の右前側の角部や右後側の角部等については、これらの部分と電装品ユニット５や端子台６との距離が十分に確保されている等のように、機械室Ｓ２内に雨水等が侵入したとしても、電装品ユニット５や端子台６には侵入しにくい構造が確保されている場合には、これらの部分に水侵入防止構造９を設けなくてもよい。
【００６７】
このような折り返し部２２ｃ、２５ｃ、２６ｃを有する水侵入防止構造９では、天板折り返し部２２ｃと側板折り返し部２５ｃ、２６ｃとが接触することによって、天板２２と板２５、２６との隙間を塞ぎ、これによって、天板２２と板２５、２６との間からケーシング２内に雨水等が侵入することを防ぐことができる。そして、この水侵入防止構造９は、天板縁部２２ｂにその下端から上方に折り返して天板縁部２２ｂと板２５、２６との間を延びる天板折り返し部２２ｃと、側板縁部２５ｂ、２６ｂにその上端から下方に折り返して天板２２と側板縁部２５ｂ、２６ｂとの間を延びる側板折り返し部２５ｃ、２６ｃとを設けた構造であるため、従来の天板の天板縁部及び／又は側板にリブを設けた水侵入防止構造に比べて、製作が容易である。
【００６８】
しかも、この水侵入防止構造９では、天板折り返し部２２ｃと側板折り返し部２５ｃ、２６ｃとが接触することになり、天板２２と板２５、２６との接触が面接触に近いものとなっている。一方、従来の天板の天板縁部及び／又は側板にリブを設けた水侵入防止構造では、リブとリブに対向する側の部材との接触のみによるものであることから、天板と側板との接触が点接触や線接触に近いものとなっている。このため、この水侵入防止構造９では、従来の水侵入防止構造に比べて、天板２２と板２５、２６との隙間をなくすことができない部分が生じにくくなり、その結果、シール材を用いることなく、天板２２と板２５、２６との間からの雨水等の侵入を防止する効果を高めることができ、したがって、天板２２と板２５、２６との間からケーシング２内に雨水等が侵入して電装品ユニット５や端子台６に雨水等が侵入することを防ぐことができる。
【００６９】
また、従来の天板の天板縁部及び／又は側板にリブを形成する水侵入防止構造では、天板をケーシング本体に装着する際に、リブに対向する側の部材の先端がリブに引っ掛かりやすく、天板をケーシング本体に装着する作業の作業性がやや損なわれることになる。しかし、この水侵入防止構造９では、天板縁部２２ｂの下端から天板折り返し部２２ｃを上方に折り返した構造や側板縁部２５ｂ、２６ｂの上端から側板折り返し部２５ｃ、２６ｃを下方に折り返した構造であるため、図９に示されるように、天板２２を矢印Ｘの方向からスムーズにケーシング本体２１に装着することができ、天板２２をケーシング本体２１に装着する作業の作業性が損なわれにくくなっている。
【００７０】
また、天板縁部２２ｂの高さ寸法Ｈ１及び側板縁部２５ｂ、２６ｂの高さ寸法Ｈ２は、１０ｍｍから４０ｍｍに設定されるが、これに対して、天板折り返し部２２ｃの高さ寸法ｈ１は、天板縁部２２ｂの高さ寸法Ｈ１の０．５倍以上に設定されており、側板折り返し部２５ｃ、２６ｃの高さ寸法ｈ２は、側板縁部２５ｂ、２６ｂの高さ寸法Ｈ２の０．５倍以上に設定されている。また、天板折り返し部２２ｃと側板折り返し部２５ｃ、２６ｃとが接する部分の高さ寸法ｆ１、ｆ２が５ｍｍ以上に設定されている。
【００７１】
これにより、天板折り返し部２２ｃと側板折り返し部２５ｃ、２６ｃが重なる部分（すなわち、天板折り返し部２２ｃの板２５、２６側の面と側板折り返し部２５ｃ、２６ｃの天板２２側の面とが接触する部分）が十分に確保され、天板２２と板２５、２６との面接触を確実に得ることができる。尚、天板折り返し部２２ｃの高さ寸法ｈ１を天板縁部２２ｂの高さ寸法Ｈ１の０．５倍以上に設定すること、側板折り返し部２５ｃ、２６ｃの高さ寸法ｈ２を側板縁部２５ｂ、２６ｂの高さ寸法Ｈ２の０．５倍以上に設定すること、及び、天板折り返し部２２ｃと側板折り返し部２５ｃ、２６ｃとが接する部分の高さ寸法ｆ１、ｆ２を５ｍｍ以上に設定することのいずれか一つのみを満たすものであってもよいが、天板２２と板２５、２６との面接触を確保するという観点では、上述のように、いずれの設定を満たすことが好ましい。
【００７２】
また、天板折り返し部２２ｃは、天板２２がケーシング本体２１に装着される前において、天板縁部２２ｂに対して所定の角度θ１をなしており、側板折り返し部２５ｃ、２６ｃは、天板２２がケーシング本体２１に装着される前において、側板縁部２５ｂ、２６ｂに対して所定の角度θ２をなしている。すなわち、天板２２がケーシング本体２１に装着される前における天板折り返し部２２ｃの上端は、側板折り返し部２５ｃ、２６ｃの天板折り返し部２２ｃに接する面よりも内側（すなわち、天板折り返し部２２ｃに接する面と反対側）に突出しており、天板２２がケーシング本体２１に装着される前における側板折り返し部２５ｃ、２６ｃの上端は、天板折り返し部２２ｃの側板折り返し部２５ｃ、２６ｃに接する面よりも内側（すなわち、側板折り返し部２５ｃ、２６ｃに接する面と反対側）に突出していることになる。
【００７３】
これにより、この室外ユニット１では、天板２２をケーシング本体２１に装着する際に、天板２２をケーシング本体２１に装着する際に、天板折り返し部２２ｃと天板縁部２２ｂとのなす角度が所定の角度θ１よりも小さくなるように天板折り返し部２２ｃが変形し、側板折り返し部２５ｃ、２６ｃと側板縁部２５ｂ、２６ｂとのなす角度が所定の角度θ２よりも小さくなるように側板折り返し部２５ｃ、２６ｃが変形することになる。このため、この水侵入防止構造９では、天板２２がケーシング本体２１に装着された後において、天板折り返し部２２ｃと天板縁部２２ｂとのなす角度を所定の角度θ１に戻そうとする力（すなわち、天板折り返し部２２ｃを板２５、２６側へ押圧しようとする力）が天板折り返し部２２ｃに作用し、側板折り返し部２５ｃ、２６ｃと側板縁部２５ｂ、２６ｂとのなす角度を所定の角度θ２に戻そうとする力（すなわち、側板折り返し部２５ｃ、２６ｃを天板２２側へ押圧しようとする力）が側板折り返し部２５ｃ、２６ｃに作用することになり、天板２２と板２５、２６との面接触を確実に得ることができる。
【００７４】
（５）他の実施形態
以上、本発明の実施形態について図面に基づいて説明したが、具体的な構成は、これらの実施形態に限られるものではなく、発明の要旨を逸脱しない範囲で変更可能である。
【００７５】
（Ａ）
上述の実施形態では、ケーシング２内の空間Ｓが仕切板２９によって送風機室Ｓ１と機械室Ｓ２とに分割された構造において、電装品としての電装品ユニット５及び端子台６が機械室Ｓ２内に配置されたものに対して、本発明を適用しているが、これに限定されるものではなく、種々の電装品配置に対しても、本発明を適用することが可能である。
【００７６】
（Ｂ）
上述の実施形態では、セパレート型の空気調和装置の室外ユニット１に対して、本発明を適用しているが、これに限定されるものではなく、ヒートポンプ式給湯機の室外ユニット等のような略箱状のケーシング本体と天板とを有するケーシング構造の冷凍装置の室外ユニットであれば、本発明を適用することが可能である。
【産業上の利用可能性】
【００７７】
本発明を利用すれば、冷凍装置の室外ユニットにおいて、シール材を用いることなく、製作が容易で、かつ、天板と側板との間からの雨水等の侵入を防ぐ効果の高い水侵入防止構造を提供することができる。
【図面の簡単な説明】
【００７８】
【図１】本発明の一実施形態にかかる冷凍装置の室外ユニットを示す斜視図（機械室内を点線で図示）である。
【図２】室外ユニットの平面図（送風機室及び機械室内を点線で図示）である。
【図３】図２のＩ−Ｉ断面図である。
【図４】図３のＩＩ部分の拡大図であって、第１実施形態にかかる水侵入防止構造を示す図である。
【図５】第１実施形態にかかる水侵入防止構造を示す図であって、天板をケーシング本体に装着する様子を示す図である。
【図６】図３のＩＩ部分の拡大図であって、第２実施形態にかかる水侵入防止構造を示す図である。
【図７】第２実施形態にかかる水侵入防止構造を示す図であって、天板をケーシング本体に装着する様子を示す図である。
【図８】図３のＩＩ部分の拡大図であって、第３実施形態にかかる水侵入防止構造を示す図である。
【図９】第３実施形態にかかる水侵入防止構造を示す図であって、天板をケーシング本体に装着する様子を示す図である。
【符号の説明】
【００７９】
１  室外ユニット
２１  ケーシング本体
２２  天板
２２ａ  天板本体部
２２ｂ  天板縁部
２２ｃ  天板折り返し部
２３  底板
２４  左前板（側板）
２５  右前板（側板）
２６  右側板（側板）
２４ｂ〜２６ｂ  側板縁部
２４ｃ〜２６ｃ  側板折り返し部
【図１】
2009097726.tif 000003
【図２】
2009097726.tif 000004
【図３】
2009097726.tif 000005
【図４】
2009097726.tif 000006
【図５】
2009097726.tif 000007
【図６】
2009097726.tif 000008
【図７】
2009097726.tif 000009
【図８】
2009097726.tif 000010
【図９】
2009097726.tif 000011